(57)【特許請求の範囲】
【請求項１】
第１数ずつ周期的に入力される複数の画像を圧縮状態で記録媒体に記録するとともに、前記記録媒体から再生された複数の圧縮画像を伸長状態で第２数ずつ周期的に出力する画像処理装置において、
前記複数の画像を個別に圧縮する圧縮処理と前記複数の圧縮画像を個別に伸長する伸長処理とを選択的に実行する少なくとも１つのコーデック、および
前記コーデックに前記伸長処理に優先して前記圧縮処理を行わせるプロセサを備えることを特徴とする、画像処理装置。
【請求項２】
前記プロセサによって実行される処理は、サイズ条件が満たされるまで同じ画像の圧縮処理を前記コーデックに繰り返し要求する圧縮要求処理を含み、前記サイズ条件は圧縮画像サイズが目標サイズ範囲に含まれるという条件である、請求項１記載の画像処理装置。
【請求項３】
前記コーデックは複数存在し、
前記プロセサによって実行される処理は、入力された画像が所定条件を満たすかどうか判別する判別処理、前記所定条件が満たされるとき前記圧縮処理のために前記コーデックの全てを占有する占有処理、および前記所定条件が満たされないとき前記伸長処理のために前記コーデックの少なくとも１つを開放する開放処理を含み、
入力された画像を一時的に格納するメモリをさらに備え、
前記所定条件は圧縮待ちの画像が前記メモリに複数存在するという第１条件を含む、請求項１または２記載の画像処理装置。
【請求項４】
前記コーデックは複数存在し、
前記プロセサによって実行される処理は、入力された画像が所定条件を満たすかどうか判別する判別処理、前記所定条件が満たされるとき前記圧縮処理のために前記コーデックの全てを占有する占有処理、および前記所定条件が満たされないとき前記伸長処理のために前記コーデックの少なくとも１つを開放する開放処理を含み、
前記所定条件は画面間での画像の変化が激しいという第２条件を含む、請求項１または２記載の画像処理装置。
【請求項５】
請求項１ないし４のいずれかに記載の画像処理装置を備える、監視カメラシステム。
【発明の詳細な説明】
【０００１】
【発明の属する技術分野】
この発明は、画像処理装置に関し、特にたとえば監視カメラシステムに適用され、複数の画像信号の個別圧縮と複数の圧縮画像信号の個別伸長とを並行して行う、画像処理装置に関する。
【０００２】
【従来技術】
従来のこの種の画像処理装置では、記録が指示されると、監視カメラから順次取り込まれた画像信号がＪＰＥＧ方式で個別に圧縮され、圧縮画像信号が記録媒体に記録されていた。また、再生が指示されると、記録媒体から順次読み出された圧縮画像信号がＪＰＥＧ方式で個別に伸長され、伸長画像信号がモニタに出力されていた。
【０００３】
【発明が解決しようとする課題】
しかし、従来の記録媒体はビデオテープのようなテープ媒体であり、記録命令と再生命令とを同時に与えることを想定しておらず、圧縮処理と伸長処理とが並行して実行されることはなかった。一方、最近では、記録媒体としてハードディスクのようなディスク媒体が普及してきており、圧縮／伸長の並行処理が望まれている。ここで、処理の遅れによって再生に係る伸長画像信号にコマ落ちが生じても特に問題はないが、記録に係る圧縮画像信号にコマ落ちが生じるのは記録の性質上避けるべきである。
【０００４】
それゆえに、この発明の主たる目的は、圧縮／伸長を並行して実行でき、かつ圧縮画像にコマ落ちが生じるのを防止できる、画像処理装置を提供することである。
【０００５】
【課題を解決するための手段】
この発明に従う画像処理装置は、第１数ずつ周期的に入力される複数の画像を圧縮状態で記録媒体に記録するとともに、記録媒体から再生された複数の圧縮画像を伸長状態で第２数ずつ周期的に出力する画像処理装置において、複数の画像を個別に圧縮する圧縮処理と複数の圧縮画像を個別に伸長する伸長処理とを選択的に実行する少なくとも１つのコーデック、およびコーデックに伸長処理に優先して圧縮処理を行わせるプロセサを備えることを特徴とする。
【０００６】
【作用】
第１数ずつ周期的に入力された複数の画像は、圧縮状態で記録媒体に記録される。また、記録媒体から再生された複数の圧縮画像は、伸長状態で第２数ずつ周期的に出力される。コーデックは、複数の画像を個別に圧縮する圧縮処理と複数の圧縮画像を個別に伸長する伸長処理とを選択的に実行する。プロセサは、このようなコーデックに伸長処理に優先して圧縮処理を行わせる。
【０００７】
複数の画像は個別に圧縮処理を施され、複数の圧縮画像は個別に伸長処理を施される。このため、連続する２つの画像に対する圧縮処理の間に伸長処理が割り込んだとしても、この割り込みに起因して圧縮画像に乱れが生じることはない。同様に、連続する２つの圧縮画像に対する伸長処理の間に圧縮処理が割り込んだとしても、この割り込みに起因して伸長画像に乱れが生じることはない。また、時間的遅れによって記録に係る圧縮画像にコマ落ちが生じることがないように、圧縮処理が伸長処理に優先して実行される。
【０００８】
好ましくは、プロセサは、サイズ条件が満たされるまで同じ画像の圧縮処理をコーデックに繰り返し要求する。ここで、サイズ条件は圧縮画像サイズが目標サイズ範囲に含まれるという条件である。画像をサイズ条件が満たされるサイズまで圧縮するのは、記録媒体の容量管理を容易にするためである。ただし、同じ画像の圧縮処理を繰り返し要求すると、時間的に遅れが生じる。このような場合に、伸長処理に優先して圧縮処理を行わせる効果が顕著に生じる。
【０００９】
コーデックが複数存在する場合、プロセサは、入力される画像が所定条件を満たすかどうか判別し、所定条件が満たされるとき圧縮処理のためにコーデックの全てを占有し、そして所定条件が満たされないとき伸長処理のためにコーデックの少なくとも１つを開放する。
【００１０】
時間的遅れが極力生じないように、複数のコーデックが準備される。そして、圧縮処理が伸長処理に優先されるように、状況に応じて複数のコーデックの占有または一部のコーデックの開放が行なわれる。
【００１１】
ここで、所定条件には、圧縮待ちの画像がメモリに複数存在するという第１条件が含まれる。
【００１２】
画像の画面間での変化が激しいという第２条件が、第１条件に代えてまたは第１条件とともに所定条件に含まれてもよい。
【００１３】
【発明の効果】
この発明によれば、圧縮処理は複数の画像に対して個別に実行され、伸長処理もまた複数の圧縮画像に対して個別に実行される。また、圧縮処理は伸長処理に優先して実行される。したがって、圧縮画像信号のコマ落ちを防止しつつ、圧縮／伸長を並行して行うことができる。
【００１４】
この発明の上述の目的，その他の目的，特徴および利点は、図面を参照して行う以下の実施例の詳細な説明から一層明らかとなろう。
【００１５】
【実施例】
図１を参照して、この実施例の監視カメラシステム１０は、複数の監視カメラｃ１〜ｃ８，マルチプレクサ１２，モニタ１４およびハードディスクレコーダ１６によって形成される。監視カメラｃ１〜ｃ８は互いに異なる場所に設置され、互いに大きく異なる被写体が監視カメラｃ１〜ｃ８によって撮影される。マルチプレクサ１２は、監視カメラｃ１〜ｃ８から出力された非同期の画像信号を１フレームずつ選択し、選択した画像信号（時分割多重画像信号）をハードディスクレコーダ１６に与える。
【００１６】
記録キー３８ａが操作されると、ＣＰＵ２８は、Ｄ−Ｉ／Ｆ１８に画像信号の取り込みを命令する。Ｄ−Ｉ／Ｆ１８は、マルチプレクサ１２から各フレームの画像信号を順次取り込み、取り込まれた画像信号をバス２０を介してメモリ制御回路２２に与える。当該画像信号は、メモリ制御回路２２によってＳＤＲＡＭ２４に書き込まれる。
【００１７】
ＳＤＲＡＭ２４には、図２に示す要領で記録画像エリア２４ａおよび再生画像エリア２４ｂが形成される。さらに、記録画像エリア２４ａは圧縮待ちエリア２４１ａおよび圧縮済みエリア２４２ａに区分され、再生画像エリア２４ｂは伸長済み画像エリア２４１ｂおよび伸長待ち画像エリア２４２ｂに区分される。マルチプレクサ１２から入力された画像信号は、圧縮待ち画像エリア２４１ａに格納される。
【００１８】
ＣＰＵ２８はまた、ＪＰＥＧコーデック２６ａおよび２６ｂの空き状態ならびにコーデック占有フラグＦの状態に応じて、ＪＰＥＧコーデック２６ａおよび２６ｂの一方または両方に圧縮命令を与える。ＪＰＥＧコーデック２６ａおよび２６ｂの一方だけが空き状態のとき、あるいはＪＰＥＧコーデック２６ａおよび２６ｂの両方が空き状態でもコーデック占有フラグＦがリセット状態のときは、単独圧縮処理を行うべく一方のＪＰＥＧコーデック（空き状態のＪＰＥＧコーデック）にのみ圧縮命令を与える。これに対して、ＪＰＥＧコーデック２６ａおよび２６ｂの両方が空き状態でかつコーデック占有フラグＦがセット状態のときは、並列圧縮処理を行うべくＪＰＥＧコーデック２６ａおよび２６ｂの両方に圧縮命令を与える。圧縮命令には画像信号の圧縮率を規定するＱファクタが含まれ、これによって圧縮画像信号のサイズが決定される。なお、コーデック占有フラグＦのセット／リセットについては後述する。
【００１９】
単独圧縮処理のためにＪＰＥＧコーデック２６ａが圧縮命令を受けた場合、ＪＰＥＧコーデック２６ａは、注目フレームの画像信号の読み出しをメモリ制御回路２２に要求し、メモリ制御回路２２によって図２に示す圧縮待ちエリア２４１ａから読み出された画像信号をバス２０を介して取り込み、そして取り込んだ画像信号をＱファクタに基づいて圧縮する。圧縮処理は、ＪＰＥＧ方式に従って行われる。圧縮画像信号が得られると、ＪＰＥＧコーデック２６ａは、当該圧縮画像信号の書き込みをメモリ制御回路２２に要求する。圧縮画像信号は、メモリ制御回路２２によって図２に示す圧縮済み画像エリア２４２ａに格納される。
【００２０】
並列圧縮処理のためにＪＰＥＧコーデック２６ａおよび２６ｂの両方が圧縮命令を受けた場合、ＪＰＥＧコーデック２６ａおよび２６ｂはそれぞれ、同じフレームの画像信号の読み出しをメモリ制御回路２２に要求し、メモリ制御回路２２によって読み出された同じフレームの画像信号をバス２０を介して取り込む。ＪＰＥＧコーデック２６ａおよび２６ｂの各々に与えられる圧縮命令は互いに異なるＱファクタを有し、ＪＰＥＧコーデック２６ａおよび２６ｂは互いに異なるサイズの圧縮画像信号を生成する。生成された各々の圧縮画像信号は書き込み要求とともにメモリ制御回路２２に与えられ、メモリ制御回路２２によって図２に示す圧縮済み画像エリア２４２ａに書き込まれる。
【００２１】
単独圧縮処理または並列圧縮処理が完了すると、ＣＰＵ２８は、ＳＤＲＡＭ２４に格納された注目フレームの圧縮画像信号が所定のサイズ条件を満たすかどうか判別する。そして、サイズ条件が満たされなければ、当該注目フレームの画像信号に対して圧縮処理を再度実行する。このときも、ＪＰＥＧコーデック２６ａおよび２６ｂの空き状態ならびにコーデック占有フラグＦの状態に応じて、ＪＰＥＧコーデック２６ａおよび２６ｂの一方または両方に圧縮命令を与える。
【００２２】
なお、ＪＰＥＧコーデック２６ａおよび２６ｂの各々は、１フレーム期間に少なくとも３回の圧縮処理を実行できる。
【００２３】
注目フレームについてサイズ条件を満たす圧縮画像信号が得られると、ＣＰＵ２８は、当該圧縮画像信号の記録処理を行う。具体的には、ＨＤＤ−Ｉ／Ｆ３０に記録命令を与える。ＨＤＤ−Ｉ／Ｆ３０は、所望の圧縮画像信号の読み出しをメモリ制御回路２２に要求し、メモリ制御回路２２によって圧縮済みエリア２４２ａから読み出された圧縮画像信号をＨＤＤ３２に与える。当該圧縮画像信号は、ＨＤＤ３２によってファイル形式でハードディスク３４に記録される。ハードディスク３４内において、圧縮画像ファイルは監視カメラ毎にかつ撮影順に管理される。
【００２４】
選択キー３８ｃによって所望の監視カメラが選択されかつ再生キー３８ｂが操作されると、ＣＰＵ２８は、選択された監視カメラに対応する圧縮画像ファイルの再生をＨＤＤ−Ｉ／Ｆ３０に命令する。ＨＤＤ−Ｉ／Ｆ３０は、ＨＤＤ３２を制御して、所望の監視カメラによって撮影された被写体の圧縮画像信号をハードディスク３４から順次読み出す。読み出された一連の圧縮画像信号は書き込み要求とともにメモリ制御回路２２に与えられ、メモリ制御回路２２によって図２に示す伸長待ち画像エリア２４２ｂに書き込まれる。
【００２５】
ＣＰＵ２８は、コーデック占有フラグＦがリセット状態のとき、ＪＰＥＧコーデック２６ａおよび２６ｂの一方または両方に伸長命令を与える。具体的には、伸長待ち画像エリア２４２ｂで待機する圧縮画像信号が１フレームだけであるか、あるいはＪＰＥＧコーデック２６ａおよび２６ｂの一方だけが空き状態のときは、単独伸長処理を行うべく、当該空き状態のＪＰＥＧコーデックにのみ伸長命令を与える。一方、複数フレームの圧縮画像信号が伸長待ち画像エリア２４２ｂで待機し、かつＪＰＥＧコーデック２６ａおよび２６ｂの両方が空き状態であれば、並列伸長処理を行うべく、連続する２フレームの圧縮画像信号の伸長をＪＰＥＧコーデック２６ａおよび２６ｂに命令する。
【００２６】
伸長命令を受けたＪＰＥＧコーデックは、注目フレームの圧縮画像信号の読み出しをメモリ制御回路２２に要求し、メモリ制御回路２２によって圧縮待ち画像エリア２４２ｂから読み出された圧縮画像信号を取り込み、そして取り込んだ圧縮画像信号をＪＰＥＧ方式で伸長する。伸長画像信号は書き込み要求とともにメモリ制御回路２２に与えられ、メモリ制御回路２２によって図２に示す伸長済み画像エリア２４１ｂに書き込まれる。並列伸長処理が実行されたときは、連続する２フレームの伸長画像信号がほぼ同時に伸長済み画像エリア２４１ｂに書き込まれる。
【００２７】
コーデック占有フラグＦがセット状態であれば、ＣＰＵ２８は、セット状態からリセット状態に切り換えられるまで伸長命令の発行を待つ。待ち時間が所定時間に達したときは、注目フレームの圧縮画像信号の伸長を断念し、次フレームの圧縮画像信号の伸長を試みる。なお、ＪＰＥＧコーデック２６ａおよび２６ｂはそれぞれ、１フレーム期間に３回の伸長処理を行えるだけの能力を有する。
【００２８】
ＣＰＵ２８はさらに、ビデオ出力回路３６に処理命令を与える。ビデオ出力回路３６は、１フレーム期間毎にメモリ制御回路２２に読み出し要求を出力し、メモリ制御回路２２によって伸長済み画像エリア２４１ｂから順次読み出された伸長画像信号をコンポジット画像信号にエンコードする。エンコードされたコンポジット画像信号はモニタ１４に与えられ、この結果、所望の監視カメラで撮影された被写体の動画像が画面に表示される。
【００２９】
ＣＰＵ２８は、μｉＴＲＯＮのようなリアルタイムＯＳを搭載したマルチタスクＣＰＵであり、図３および図４に示すフロー図に従う圧縮制御処理と図５に示すフロー図に従う伸長制御処理とを並行して実行する。
【００３０】
圧縮制御処理では、まず図３のステップＳ１でＶＤ信号の発生の有無を判別する。ＶＤ信号はＤ−Ｉ／Ｆ１８から１フレーム期間に１回の割合で出力され、当該ＶＤ信号が発生したとき、ステップＳ１でＹＥＳと判断する。
【００３１】
ステップＳ３では、複数フレームの圧縮画像信号が図２に示す圧縮待ち画像エリア２４１ａで待機しているかどうか判断する。また、ステップＳ５ではマルチプレクサ１２から入力される画像信号の入力態様または動きの激しさを判別する。ステップＳ７では同一フレームの圧縮画像信号が図２に示す圧縮済み画像エリア２４２ｂに格納済みであるかどうか判断する。ステップＳ９では、圧縮済み画像エリア２４２ｂに格納された圧縮画像信号のサイズが目標サイズと大きく相違しているかどうか判断する。
【００３２】
複数フレームの画像信号が圧縮待ち状態の場合は、ステップＳ３でＹＥＳと判断し、ステップＳ１３でコーデック占有フラグＦをセットする。つまり、複数フレームの画像信号が圧縮待ち状態にある場合は、処理に時間的遅れが生じているとみなし、並列圧縮処理を行うべくコーデック占有フラグＦをセットする。
【００３３】
圧縮待ち状態の画像信号が１フレームしか存在しないときでも、マルチプレクサ１２から入力される画像信号が時分割多重画像信号であったり、フレーム間での被写体の動きが激しかったりするときは、ステップＳ５でＹＥＳと判断し、ステップＳ１３でコーデック占有フラグをセットする。ステップＳ５でＹＥＳと判断されるのは、フレーム間の被写体の変化が激しいときである。このようなときはサイズ条件を満たすために必要な圧縮処理回数が増加すると思われるため、並列圧縮処理を行うべくコーデック占有フラグＦをセットする。
【００３４】
なお、Ｄ−Ｉ／Ｆ１８は、マルチプレクサ１２の出力が時分割多重画像信号であるか否かに応じて異なる識別信号を発生する。Ｄ−Ｉ／Ｆ１８はまた、１つの監視カメラによって撮影された被写体の画像信号のみがマルチプレクサ１２から出力されるとき、フレーム間での被写体の動きベクトルを検出し、当該動きベクトルが閾値を超えるとき動き検出信号を発生する。ステップＳ５では、このような識別信号および／または動き検出信号に基づいて判別を行う。
【００３５】
同一フレームの圧縮画像信号が既にＳＤＲＡＭ２４に存在し、かつ当該圧縮画像信号のサイズが目標サイズから大きく外れているときは、ステップＳ９でＹＥＳと判断し、ステップＳ１３でコーデック占有フラグＦをセットする。つまり、圧縮画像サイズが目標サイズと大きく相違するときは、サイズ条件が満たされるまでに複数回の圧縮処理が必要となると考えられるため、並列圧縮処理を行うべくコーデック占有フラグＦをセットする。
【００３６】
ステップＳ７でＮＯと判断されるのは、圧縮待ち状態の画像信号が１フレームしか存在せず、画像信号に大きな変化がなく、注目フレームに対する圧縮処理が１回も行われていないときである。また、ステップＳ９でＮＯと判断されるのは、圧縮待ち状態の画像信号が１フレームしか存在せず、画像信号に大きな変化がなく、注目するフレームに対する圧縮処理が少なくとも１回行われているが当該圧縮処理によって得られた圧縮画像信号のサイズが目標サイズと大差ないときである。このようなときは、単独圧縮処理でも時間的に十分間に合うとみなし、ステップＳ１１でコーデック占有フラグＦをリセットする。
【００３７】
ステップＳ１１またはＳ１３の処理を終えると、ステップＳ１５またはＳ２１でＪＰＥＧコーデック２６ａおよび２６ｂの空き状態を判別する。ＪＰＥＧコーデック２６ａおよび２６ｂの一方のみが空き状態であれば、ステップＳ２１でＹＥＳと判断し、ステップＳ２３で単独圧縮処理を行う。一方、ＪＰＥＧコーデック２６ａおよび２６ｂの両方が空き状態であれば、ステップＳ１７でコーデック占有フラグＦの状態を判別し、リセット状態であればステップＳ２３の単独圧縮処理に、セット状態であればステップＳ１９の並列圧縮処理にそれぞれ移行する。
【００３８】
単独圧縮処理または並列圧縮処理が完了するとステップＳ２５に進み、今回の圧縮処理によって圧縮済み画像エリア２４２ａに確保された圧縮画像信号のサイズがサイズ条件を満たすかどうか判断する。具体的には、圧縮画像サイズが目標サイズ±αの範囲に含まれるかどうか判断する。サイズ条件が満たされれば、当該圧縮画像信号の記録処理を行うべくステップＳ２７に進む。これに対して、サイズ条件が満たされなければ、ステップＳ２９で注目フレームの圧縮処理に費やしている時間（所要時間）を判別する。所要時間が所定時間以内であれば、注目フレームに対する再圧縮が可能であるとみなし、ステップＳ３以降の処理を繰り返す。これに対して、所要時間が所定時間を超えていれば、サイズ条件を満たさない圧縮画像信号を強制的に記録すべくステップＳ２７に移行する。
【００３９】
なお、ステップＳ１９の並列圧縮処理が行われたときは、これによって得られた２つの圧縮画像信号についてステップＳ２５の条件判別を行い、いずれか一方の圧縮画像信号がサイズ条件を満たす限り、ステップＳ２７に進む。
【００４０】
ステップＳ３１では、少なくとも１フレームの画像信号が圧縮待ち画像エリア２４１ａで待機しているかどうか判断し、ＹＥＳであればステップＳ３に戻る。一方、圧縮待ち画像エリア２４１ａに格納された画像信号が全てサイズ条件を満たすサイズに圧縮され、圧縮待ち状態の画像信号がゼロとなれば、ステップＳ３１でＮＯと判断し、ステップＳ３３でコーデック占有フラグＦをリセットしてからステップＳ１に戻る。このときは、次のＶＤ信号の発生まで圧縮制御処理が実質的に中断される。
【００４１】
図５を参照して、伸長制御処理では、まずステップＳ４１で伸長済み画像エリア２４１ｂに蓄積されかつ出力待ち状態にある伸長画像信号のフレーム数を閾値と比較する。フレーム数＜閾値となれば、伸長済み画像エリア２４１ｂに空き容量が確保されたとみなし、ステップＳ４３でコーデック占有フラグＦの状態を判断する。コーデック占有フラグＦがセット状態であればステップＳ４５に進み、注目フレームの伸長を命令できない時間が所定時間を超えたかどうか判断する。所定時間内であればステップＳ４５からステップＳ４３に戻ってコーデック占有フラグＦのリセットを待つが、所定期間が経過したときはステップＳ４７におけるコマ落し処理を経てステップＳ４３に戻る。コマ落し処理によって、注目フレームが次フレームに更新される。
【００４２】
コーデック占有フラグＦがリセットされるとステップＳ４３からステップＳ４９に進み、伸長待ち画像エリア２４２ｂで待機する圧縮画像信号のフレーム数を判別する。伸長待ち状態の圧縮画像信号が１フレームしか存在しないときは、ステップＳ５５に進み、単独伸長処理を行う。また、伸長待ち状態の圧縮画像信号が複数フレーム存在するときでも、ＪＰＥＧコーデック２６ａおよび２６ｂの一方だけが空き状態のときは、ステップＳ５１でＮＯと判断し、ステップＳ５５の単独伸長処理に進む。伸長待ち状態の圧縮画像信号が複数フレーム存在し、かつＪＰＥＧコーデック２６ａおよび２６ｂの両方が空き状態のときは、ステップＳ５１でＹＥＳと判断し、ステップＳ５３で並列伸長処理を行う。ステップＳ５３またはＳ５５の処理を終えると、ステップＳ４１に戻る。
【００４３】
以上の説明から分かるように、マルチプレクサ１２から１フレームずつ周期的に入力された複数フレームの画像信号は、圧縮状態でハードディスク３４に記録される。また、ハードディスク３４から再生された複数フレームの圧縮画像信号は、伸長状態で１フレームずつ周期的にモニタ１４に出力される。ここで、ＪＰＥＧコーデック２６ａおよび２６ｂの各々は、複数フレームの画像信号の個別圧縮と複数フレームの圧縮画像信号の個別伸長とを選択的に実行する。ＣＰＵ２８は、このようなＪＰＥＧコーデック２６ａおよび２６ｂに伸長処理に優先して圧縮処理を行わせる。
【００４４】
圧縮処理および伸長処理はいずれもＪＰＥＧ方式に従うため、隣接する２画面を連続して処理する必要はない。このため、圧縮処理および伸長処理を並行して実行することができる。また、圧縮処理が伸長処理に優先して実行されるため、記録に係る圧縮画像信号にコマ落ちが生じることはない。
【００４５】
なお、この実施例のマルチプレクサ１２は、監視カメラｃ１〜ｃ８から出力される画像信号を１フレームずつ選択するが、画像信号は１フィールドずつ選択してもよい。この場合、ハードディスクレコーダ１６の処理は、フィールド単位で実行される。
【００４６】
また、この実施例では、Ｄ−Ｉ／Ｆ１８およびビデオ出力回路３６は１つずつ準備されるが、それぞれの回路は複数個ずつ準備してもよい。Ｄ−Ｉ／Ｆ１８をＭ個準備した場合、記録に係る画像信号はＭフレームずつ周期的に入力され、ビデオ出力回路３６をＮ個準備した場合、再生に係る画像信号はＮフレームずつ周期的に出力される。
【００４７】
さらに、この実施例では記録媒体としてハードディスクを採用しているが、これに代えて、光磁気ディスクを採用してもよい。
【図面の簡単な説明】
【図１】この発明の一実施例を示すブロック図である。
【図２】ＳＤＲＡＭのマッピング状態の一例を示す図解図である。
【図３】図１実施例の動作の一部を示すフロー図である。
【図４】図１実施例の動作の他の一部を示すフロー図である。
【図５】図１実施例の動作のその他の一部を示すフロー図である。
【符号の説明】
１０…監視カメラシステム
１２…マルチプレクサ
１４…モニタ
１６…ハードディスクレコーダ
２６ａ，２６ｂ…ＪＰＥＧコーデック
２８…ＣＰＵ
３２…ＨＤＤ
【図１】
0003851149.tif 000002
【図２】
0003851149.tif 000003
【図３】
0003851149.tif 000004
【図４】
0003851149.tif 000005
【図５】
0003851149.tif 000006